(57)【要約】  本願はチャネル状態情報の報告方法及び関連装置を開示し、前記方法は、端末装置がＰＭＩなしのＣＳＩ報告方式で用いるＣＱＩ測定方式を決定することと、前記端末装置が前記ＣＱＩ測定方式でＣＱＩ推定を行い、推定で取得したＣＱＩをネットワーク装置に報告することと、前記ネットワーク装置が前記端末装置の報告したＣＱＩを受信することと、を含む。本願の実施例を用いることにより、チャネル状態情報の精度を向上させることができる。
2020534719.tif 000002
【特許請求の範囲】
【請求項１】
チャネル状態情報（ＣＳＩ）の報告方法であって、
端末装置がプリコード化マトリクス指標（ＰＭＩ）なしのＣＳＩ報告方式で用いるチャネル品質指標（ＣＱＩ）測定方式を決定することと、
前記端末装置が前記ＣＱＩ測定方式でＣＱＩ推定を行い、推定で取得したＣＱＩをネットワーク装置に報告することと、を含むことを特徴とするチャネル状態情報（ＣＳＩ）の報告方法。
【請求項２】
前記端末装置がＰＭＩなしのＣＳＩ報告方式で用いるＣＱＩ測定方式を決定する前に、前記方法は、更に、
前記端末装置が前記ネットワーク装置からの第１指示情報を受信し、前記第１指示情報はＰＭＩなしのＣＳＩ報告方式を用いることを示すことに用いられることと、
前記端末装置が前記第１指示情報に基づいてＰＭＩなしのＣＳＩ報告方式を用いると決定することと、を含むことを特徴とする請求項１に記載の方法。
【請求項３】
前記端末装置がＰＭＩなしのＣＳＩ報告方式で用いるＣＱＩ測定方式を決定する前に、前記方法は、更に、
前記端末装置が前記ネットワーク装置からの第２指示情報を受信し、前記第２指示情報はＰＭＩなしのＣＳＩ報告方式でＣＱＩ推定に用いるＣＱＩ測定方式を示すことに用いられることを含み、
前記端末装置がＰＭＩなしのＣＳＩ報告方式で用いるＣＱＩ測定方式を決定することは、前記端末装置が前記第２指示情報に基づいて少なくとも１つのＣＱＩ測定方式からＰＭＩなしのＣＳＩ報告方式で用いるＣＱＩ測定方式を決定することを含むことを特徴とする請求項１又は２に記載の方法。
【請求項４】
前記ＣＱＩ測定方式は、
コードブックにおけるプリコード化マトリクスに基づいてＣＱＩ推定を行う第１ＣＱＩ測定方式、
干渉測定結果のみに基づいてＣＱＩ推定を行う第２ＣＱＩ測定方式、
一部のダウンリンク受信アンテナの対応するダウンリンクチャネル情報に基づいてＣＱＩ推定を行う第３ＣＱＩ測定方式、又は、
フォーミングのＣＳＩ−ＲＳポートに基づいてＣＱＩ推定を行う第４ＣＱＩ測定方式であることを特徴とする請求項１〜３のいずれか１項に記載の方法。
【請求項５】
前記端末装置が、ＰＭＩなしのＣＳＩ報告方式で用いるＣＱＩ測定方式が前記第１ＣＱＩ測定方式であることを決定した場合、前記端末装置が前記ＣＱＩ測定方式でＣＱＩ推定を行う前に、前記方法は、更に、
前記端末装置が前記ネットワーク装置からの第３指示情報を受信し、前記第３指示情報はＰＭＩなしのＣＳＩ報告方式でＣＱＩ推定に用いるコードブックタイプを示すことに用いられることを含み、
前記端末装置が前記ＣＱＩ測定方式でＣＱＩ推定を行うことは、前記端末装置が前記第３指示情報に基づいて予め定義された少なくとも１つのコードブックタイプからＰＭＩ報告なしのフィードバック方式でＣＱＩ推定に用いるコードブックタイプを決定することと、前記端末装置が前記コードブックタイプのコードブックに基づいてＣＱＩ推定を行うことと、を含むことを特徴とする請求項４に記載の方法。
【請求項６】
前記端末装置が、ＰＭＩなしのＣＳＩ報告方式で用いるＣＱＩ測定方式が前記第１ＣＱＩ測定方式であることを決定した場合、前記端末装置が前記ＣＱＩ測定方式でＣＱＩ推定を行う前に、前記方法は、更に、
前記端末装置が前記ネットワーク装置からの第４指示情報を受信し、前記第４指示情報は指定されたコードブックタイプにおける、ＰＭＩなしのＣＳＩ報告方式でＣＱＩ推定に用いるコードブックを示すことに用いられることを含み、
前記端末装置が前記ＣＱＩ測定方式でＣＱＩ推定を行うことは、前記端末装置が前記第４指示情報に基づいて前記指定されたコードブックタイプからＰＭＩ報告なしのフィードバック方式でＣＱＩ推定に用いるコードブックを決定することと、前記端末装置が前記コードブックに基づいてＣＱＩ推定を行うことと、を含むことを特徴とする請求項４に記載の方法。
【請求項７】
前記端末装置が、ＰＭＩなしのＣＳＩ報告方式で用いるＣＱＩ測定方式が前記第１ＣＱＩ測定方式であることを決定した場合、前記端末装置が前記ＣＱＩ測定方式でＣＱＩ推定を行うことは、
前記端末装置が目標コードブック又は目標コードブックのサブセットに基づいてＣＱＩ推定を行い、前記目標コードブックは前記端末装置がＰＭＩ報告のあるＣＳＩ報告方式でＣＳＩ測定に用いるコードブックであることを含むことを特徴とする請求項４に記載の方法。
【請求項８】
前記一部のダウンリンク受信アンテナは前記端末装置がアップリンク伝送を行う際にアップリンク信号を送信するためのアンテナであることを特徴とする請求項４に記載の方法。
【請求項９】
前記端末装置が、ＰＭＩなしのＣＳＩ報告方式で用いるＣＱＩ測定方式が前記第４ＣＱＩ測定方式であることを決定した場合、前記端末装置が前記ＣＱＩ測定方式でＣＱＩ推定を行うことは、
前記端末装置が目標ＣＳＩ−ＲＳポートから取得したダウンリンクチャネル情報に基づいてＣＱＩ推定を行い、前記目標ＣＳＩ−ＲＳポートは前記端末装置が前記フォーミングのＣＳＩ−ＲＳポートから選択した少なくとも１つのＣＳＩ−ＲＳポートであることを含むことを特徴とする請求項４に記載の方法。
【請求項１０】
前記方法は、更に、
前記端末装置が前記決定したＰＭＩなしのＣＳＩ報告方式で用いるＣＱＩ測定方式に基づいてランク指標（ＲＩ）を推定することと、
前記端末装置が推定で取得したＲＩを報告することと、を含むことを特徴とする請求項１〜９のいずれか１項に記載の方法。
【請求項１１】
チャネル状態情報（ＣＳＩ）の報告方法であって、
ネットワーク装置が端末装置の報告したチャネル品質指標（ＣＱＩ）を受信し、前記ＣＱＩは前記端末装置がプリコード化マトリクス指標（ＰＭＩ）なしのＣＳＩ報告方式でＣＱＩ測定方式に基づいてＣＱＩ推定を行って取得したものであることを含むことを特徴とするチャネル状態情報（ＣＳＩ）の報告方法。
【請求項１２】
前記ネットワーク装置が端末装置の報告するＣＱＩを受信する前に、前記方法は、更に、
前記ネットワーク装置が前記端末装置に第１指示情報を送信し、前記第１指示情報はＰＭＩなしのＣＳＩ報告方式を用いることを示すことに用いられることを含むことを特徴とする請求項１１に記載の方法。
【請求項１３】
前記ネットワーク装置が端末装置の報告するＣＱＩを受信する前に、前記方法は、更に、
前記ネットワーク装置が前記端末装置に第２指示情報を送信し、前記第２指示情報はＰＭＩなしのＣＳＩ報告方式でＣＱＩ推定に用いるＣＱＩ測定方式を示すことに用いられることを含むことを特徴とする請求項１１又は１２に記載の方法。
【請求項１４】
前記ＣＱＩ測定方式は、
コードブックにおけるプリコード化マトリクスに基づいてＣＱＩ推定を行う第１ＣＱＩ測定方式、
干渉測定結果のみに基づいてＣＱＩ推定を行う第２ＣＱＩ測定方式、
一部のダウンリンク受信アンテナの対応するダウンリンクチャネル情報に基づいてＣＱＩ推定を行う第３ＣＱＩ測定方式、又は、
フォーミングのＣＳＩ−ＲＳポートに基づいてＣＱＩ推定を行う第４ＣＱＩ測定方式であることを特徴とする請求項１０〜１３のいずれか１項に記載の方法。
【請求項１５】
前記端末装置が、ＰＭＩなしのＣＳＩ報告方式で用いるＣＱＩ測定方式が前記第１ＣＱＩ測定方式であることを決定した場合、前記ネットワーク装置が端末装置の報告するＣＱＩを受信する前に、前記方法は、更に、
前記ネットワーク装置が前記端末装置に第３指示情報を送信し、前記第３指示情報はＰＭＩなしのＣＳＩ報告方式でＣＱＩ推定に用いるコードブックタイプを示すことに用いられることを含むことを特徴とする請求項１４に記載の方法。
【請求項１６】
前記端末装置が、ＰＭＩなしのＣＳＩ報告方式で用いるＣＱＩ測定方式が前記第１ＣＱＩ測定方式であることを決定した場合、前記ネットワーク装置が端末装置の報告するＣＱＩを受信する前に、前記方法は、更に、
前記ネットワーク装置が前記端末装置に第４指示情報を送信し、前記第４指示情報は指定されたコードブックタイプにおける、ＰＭＩなしのＣＳＩ報告方式でＣＱＩ推定に用いるコードブックを示すことに用いられることを含むことを特徴とする請求項１４に記載の方法。
【請求項１７】
前記方法は、更に、
前記ネットワーク装置が前記端末装置の報告するランク指標（ＲＩ）を受信し、前記ＲＩは前記端末装置がＰＭＩなしのＣＳＩ報告方式で用いるＣＱＩ測定方式に基づいて推定して取得したものであることを含むことを特徴とする請求項１０〜１６のいずれか１項に記載の方法。
【請求項１８】
端末装置であって、
処理ユニット及び通信ユニットを備え、
前記処理ユニットは、プリコード化マトリクス指標（ＰＭＩ）なしのＣＳＩ報告方式で用いるチャネル品質指標（ＣＱＩ）測定方式を決定することと、前記ＣＱＩ測定方式でＣＱＩ推定を行い、推定で取得したＣＱＩを前記通信ユニットを通してネットワーク装置に報告することとに用いられることを特徴とする端末装置。
【請求項１９】
ネットワーク装置であって、
処理ユニット及び通信ユニットを備え、
前記処理ユニットは、前記通信ユニットを通して端末装置の報告したチャネル品質指標（ＣＱＩ）を受信することに用いられ、前記ＣＱＩは、前記端末装置がプリコード化マトリクス指標（ＰＭＩ）なしのＣＳＩ報告方式でＣＱＩ測定方式に基づいてＣＱＩ推定を行って取得したものであることを特徴とするネットワーク装置。
【請求項２０】
端末装置であって、
１つ又は複数のプロセッサ、１つ又は複数のメモリ、１つ又は複数の送受信機及び１つ又は複数のプログラムを備え、前記１つ又は複数のプログラムは前記メモリに記憶され、且つ前記１つ又は複数のプロセッサにより実行されるように構成され、前記プログラムは請求項１〜１０のいずれか１項に記載の方法におけるステップを実行するための命令を含むことを特徴とする端末装置。
【請求項２１】
ネットワーク装置であって、
１つ又は複数のプロセッサ、１つ又は複数のメモリ、１つ又は複数の送受信機及び１つ又は複数のプログラムを備え、前記１つ又は複数のプログラムは前記メモリに記憶され、且つ前記１つ又は複数のプロセッサにより実行されるように構成され、前記プログラムは請求項１１〜１７のいずれか１項に記載の方法におけるステップを実行するための命令を含むことを特徴とするネットワーク装置。
【請求項２２】
コンピュータ可読記憶媒体であって、
電子データ交換のためのコンピュータプログラムが記憶され、前記コンピュータプログラムによってコンピュータが請求項１〜１０のいずれか１項に記載の方法を実行することを特徴とするコンピュータ可読記憶媒体。
【請求項２３】
コンピュータ可読記憶媒体であって、
電子データ交換のためのコンピュータプログラムが記憶され、前記コンピュータプログラムによってコンピュータが請求項１１〜１７のいずれか１項に記載の方法を実行することを特徴とするコンピュータ可読記憶媒体。
【発明の詳細な説明】
【技術分野】
【０００１】
本願は通信技術分野に関し、特にチャネル状態情報の報告方法及び関連装置に関する。
【背景技術】
【０００２】
無線通信分野において、チャネル状態情報（ＣＳＩ、Ｃｈａｎｎｅｌ  Ｓｔａｔｅ  Ｉｎｆｏｒｍａｔｉｏｎ）は通信リンクのチャネル属性である。ＣＳＩは信号の各伝送経路におけるフェージング係数を説明する。ＣＳＩによって通信システムを現在のチャネル条件に適応させることができ、マルチアンテナシステムにおいて高信頼性・高速の通信に保障を提供する。ＣＳＩは端末装置（ＵＥ、Ｕｓｅｒ  Ｅｑｕｉｐｍｅｎｔ）がネットワーク装置に報告する情報である。ＣＳＩはチャネル品質指標（ＣＱＩ、Ｃｈａｎｎｅｌ  Ｑｕａｌｉｔｙ  Ｉｎｄｉｃａｔｏｒ）、ランク指標（ＲＩ、Ｒａｎｋ  Ｉｎｄｉｃａｔｉｏｎ）及びプリコード化マトリクス指標（ＰＭＩ、Ｐｒｅｃｏｄｉｎｇ  Ｍａｔｒｉｘ  Ｉｎｄｉｃａｔｏｒ）等を含む。
【０００３】
チャネルレシプロシティに基づくダウンリンク伝送において、端末装置はＰＭＩを報告せずに、ＣＱＩ等の他のチャネル情報のみを報告してもよく、このようなＣＳＩ報告方式はＰＭＩ報告なしのＣＳＩ報告方式と称される。ＰＭＩ報告なしのＣＳＩ報告方式で、ネットワーク装置はチャネルレシプロシティ及びチャネル検出基準信号（ＳＲＳ、Ｓｏｕｎｄｉｎｇ  Ｒｅｆｅｒｅｎｃｅ  Ｓｉｇｎａｌ）に基づいてダウンリンクチャネル情報を取得し、それから取得したダウンリンクチャネル情報に基づいてダウンリンクプリコード化マトリクスを計算する。
【発明の概要】
【発明が解決しようとする課題】
【０００４】
チャネル状態情報の精度を向上させるために、本願の実施例はチャネル状態情報の報告方法及び関連装置を提供する。
【課題を解決するための手段】
【０００５】
第１態様では、本願の実施例はチャネル状態情報の報告方法を提供し、前記チャネル状態情報の報告方法は、
端末装置がＰＭＩなしのＣＳＩ報告方式で用いるＣＱＩ測定方式を決定することと、
前記端末装置が前記ＣＱＩ測定方式でＣＱＩ推定を行い、推定で取得したＣＱＩをネットワーク装置に報告することと、を含む。
【０００６】
第２態様では、本願の実施例はチャネル状態情報の報告方法を提供し、前記チャネル状態情報の報告方法は、
ネットワーク装置が端末装置の報告するＣＱＩを受信し、前記ＣＱＩは前記端末装置がＰＭＩなしのＣＳＩ報告方式でＣＱＩ測定方式に基づいてＣＱＩ推定を行って取得したものであることを含む。
【０００７】
第３態様では、本願の実施例は端末装置を提供し、前記端末装置は処理ユニット及び通信ユニットを備え、
前記処理ユニットは、ＰＭＩなしのＣＳＩ報告方式で用いるＣＱＩ測定方式を決定することと、前記ＣＱＩ測定方式でＣＱＩ推定を行い、推定で取得したＣＱＩを前記通信ユニットを通してネットワーク装置に報告することとに用いられる。
【０００８】
第４態様では、本願の実施例はネットワーク装置を提供し、前記ネットワーク装置は処理ユニット及び通信ユニットを備え、
前記処理ユニットは、前記通信ユニットを通して端末装置の報告したＣＱＩを受信することに用いられ、前記ＣＱＩは前記端末装置がＰＭＩなしのＣＳＩ報告方式でＣＱＩ測定方式に基づいてＣＱＩ推定を行って取得したものである。
【０００９】
第５態様では、本願の実施例は端末装置を提供し、前記端末装置は１つ又は複数のプロセッサ、１つ又は複数のメモリ、１つ又は複数の送受信機及び１つ又は複数のプログラムを備え、前記１つ又は複数のプログラムは前記メモリに記憶され、且つ前記１つ又は複数のプロセッサにより実行されるように構成され、前記プログラムは第１態様に記載の方法におけるステップを実行するための命令を含む。
【００１０】
第６態様では、本願の実施例はネットワーク装置を提供し、前記ネットワーク装置は１つ又は複数のプロセッサ、１つ又は複数のメモリ、１つ又は複数の送受信機及び１つ又は複数のプログラムを備え、前記１つ又は複数のプログラムは前記メモリに記憶され、且つ前記１つ又は複数のプロセッサにより実行されるように構成され、前記プログラムは第２態様に記載の方法におけるステップを実行するための命令を含む。
【００１１】
第７態様では、本願の実施例はコンピュータ可読記憶媒体を提供し、前記コンピュータ可読記憶媒体に電子データ交換のためのコンピュータプログラムが記憶され、前記コンピュータプログラムによってコンピュータが第１態様に記載の方法を実行する。
【００１２】
第８態様では、本願の実施例はコンピュータ可読記憶媒体を提供し、前記コンピュータ可読記憶媒体に電子データ交換のためのコンピュータプログラムが記憶され、前記コンピュータプログラムによってコンピュータが第２態様に記載の方法を実行する。
【００１３】
第９態様では、本願の実施例はコンピュータプログラム製品を提供し、前記コンピュータプログラム製品はコンピュータプログラムが記憶される非一時的コンピュータ可読記憶媒体を含み、前記コンピュータプログラムが操作されることによりコンピュータが第１態様に記載の方法を実行できる。
【００１４】
第１０態様では、本願の実施例はコンピュータプログラム製品を提供し、前記コンピュータプログラム製品はコンピュータプログラムが記憶される非一時的コンピュータ可読記憶媒体を含み、前記コンピュータプログラムが操作されることによりコンピュータが第２態様に記載の方法を実行できる。
【００１５】
本願のこれらの態様又は他の態様は以下の実施例の説明において更に明らかになる。
【図面の簡単な説明】
【００１６】
本願の実施例又は従来技術の技術案をより明確に説明するために、以下に実施例又は従来技術の記述において使用必要な図面を簡単に説明するが、明らかに、以下に記載する図面は単に本願の幾つかの実施例であり、当業者であれば、創造的な労力を要することなく、これらの図面に基づいて他の図面に想到しうる。
【００１７】
【図１】図１は本願の実施例に係るネットワークアーキテクチャの模式図である。
【図２】図２は本願の実施例に係るチャネル状態情報の報告方法のフローチャート模式図である。
【図３】図３は本願の実施例に係る端末装置の構造模式図である。
【図４】図４は本願の実施例に係るネットワーク装置の構造模式図である。
【図５】図５は本願の実施例に係る他の端末装置の構造模式図である。
【図６】図６は本願の実施例に係る他のネットワーク装置の構造模式図である。
【図７】図７は本願の実施例に係るまた他の端末装置の構造模式図である。
【発明を実施するための形態】
【００１８】
当業者に本願の方案をよりよく理解させるために、以下に本願の実施例の図面を参照しながら、本願の実施例の技術案を明確且つ完全に説明し、明らかに、説明される実施例は本願の一部の実施例に過ぎず、全ての実施例ではない。本願の実施例に基づき、当業者が創造的な労力を必要とせずに得られる他の実施例は、いずれも本願の保護範囲に属すべきである。
【００１９】
以下、それぞれ詳しく説明する。
【００２０】
本願の明細書、特許請求の範囲及び前記図面における用語「第１」「第２」「第３」及び「第４」等は異なるオブジェクトを区別するためのものであって、特定の順序を説明するためのものではない。なお、用語「含む」、「備える」及びそれらの何かの変形は非排他的包含を指すように意図される。例えば、一連のステップ又はユニットを含む過程、方法、システム、製品又は装置は挙げられたステップ又はユニットには限定されず、挙げられていないステップ又はユニットも選択肢として更に含み、又は、これらの過程、方法、製品又は装置固有の他のステップ又はユニットも選択肢として更に含む。
【００２１】
本明細書において言及する「実施例」は、実施例を参照して説明した特定の特徴、構造又は特性が本願の少なくとも１つの実施例に含まれてもよいことを意味する。明細書の各箇所に現れる「実施例」という用語は、必ずしも同じ実施例を指すとは限らず、一方、他の実施例と相互に排斥する、独立した又は代替的な実施例を指すのでもない。当業者であれば明示的及び暗示的に理解できるように、本明細書に説明される実施例は他の実施例と組み合わせできる。
【００２２】
以下、図面を参照しながら本願の実施例を説明する。
【００２３】
図１に示すとおり、図１は本願の実施例に係るネットワークアーキテクチャの模式図である。図１に示されるネットワークアーキテクチャは端末装置及びネットワーク装置を備える。端末装置とネットワーク装置とは無線信号によって接続を確立する。接続を確立した後、端末装置は無線信号によってネットワーク装置に対してアップリンク伝送を行い、例えば端末装置はネットワーク装置にＣＳＩ等を報告し、ネットワーク装置は無線信号によって端末装置に対してダウンリンク伝送を行い、例えばネットワーク装置は端末装置にシグナリング等を伝送する。
【００２４】
ＰＭＩ報告なしのＣＳＩ報告方式で、ネットワーク装置はチャネルレシプロシティ及びＳＲＳに基づいてダウンリンクチャネル情報を取得し、それからネットワーク装置は取得したダウンリンクチャネル情報に基づいてダウンリンクプリコード化マトリクスを計算する。ネットワーク装置のチャネルレシプロシティが理想的である可能性もあるし、理想的ではない可能性もあるため、ネットワーク装置がチャネルレシプロシティによって取得したダウンリンクチャネル情報の精度は確保できない。チャネルレシプロシティ・信頼性が異なる場合、端末装置が同じ測定方式でチャネル状態情報（例えば、ＲＩ／ＣＱＩ）を推定すれば、端末装置が一部のシーンにおいて推定して取得したチャネル状態情報は正確ではない恐れがある。
【００２５】
上記課題を解決するために、本願において、端末装置とネットワーク装置はＰＭＩなしのＣＳＩ報告方式でＣＱＩ推定を行うための少なくとも１つのＣＱＩ測定方式を予め約束する。ＣＱＩ推定を行う前に、端末装置はまず現在ＰＭＩなしのＣＳＩ報告方式で用いるＣＱＩ測定方式を決定し、次に端末装置は決定したＣＱＩ測定方式でＣＱＩ推定を行い、最後に端末装置は推定して取得したＣＱＩをネットワーク装置にフィードバックする。
【００２６】
以上によれば、従来技術に比べて、本願において、ＰＭＩなしのＣＳＩ報告方式でＣＱＩ推定を行うためのＣＱＩ測定方式は１つより多くてもよく、異なるシーンにおいて、端末装置の決定する、ＰＭＩなしのＣＳＩ報告方式で用いるＣＱＩ測定方式は異なってもよく、これにより、端末装置が異なるシーンにおいて同じＣＱＩ測定方式でＣＱＩ推定を行うため、いくつかのシーンにおいて推定して取得したＣＱＩが正確ではないという問題をできる限り回避し、それによって、チャネル状態情報の精度を向上させる。
【００２７】
端末装置はユーザーに音声及び／又はデータ接続を提供する装置、例えば、無線接続機能を有する携帯デバイス、車載装置等である。よく見られる端末装置は例えば携帯電話、タブレットＰＣ、ノートパソコン、パームトップコンピュータ、モバイルインターネットデバイス（ＭＩＤ、ｍｏｂｉｌｅ  ｉｎｔｅｒｎｅｔ  ｄｅｖｉｃｅ）、ウェアラブルデバイス、例えばスマートウォッチ、スマートブレスレット、万歩計等を含む。
【００２８】
ネットワーク装置はネットワーク側のノード装置を指し、例えば、ネットワーク装置はセルラーネットワークにおけるアクセスネットワーク側の無線アクセスネットワーク（ＲＡＮ、Ｒａｄｉｏ  Ａｃｃｅｓｓ  Ｎｅｔｗｏｒｋ）装置であってもよく、所謂ＲＡＮ装置は即ち端末装置を無線ネットワークにアクセスさせる装置であり、前記装置は発展型ノードＢ（ｅＮＢ、ｅｖｏｌｖｅｄ  Ｎｏｄｅ  Ｂ）、無線ネットワーク制御装置（ＲＮＣ、ｒａｄｉｏ  ｎｅｔｗｏｒｋ  ｃｏｎｔｒｏｌｌｅｒ）、ノードＢ（ＮＢ、Ｎｏｄｅ  Ｂ）、基地局制御装置（ＢＳＣ、Ｂａｓｅ  Ｓｔａｔｉｏｎ  Ｃｏｎｔｒｏｌｌｅｒ）、ベーストランシーバ基地局（ＢＴＳ、Ｂａｓｅ  Ｔｒａｎｓｃｅｉｖｅｒ  Ｓｔａｔｉｏｎ）、ホーム基地局（例えば、ＨＮＢ、Ｈｏｍｅ  ｅｖｏｌｖｅｄ  ＮｏｄｅＢ、又はＨｏｍｅ  Ｎｏｄｅ  Ｂ）、ベースバンドユニット（ＢＢＵ、ＢａｓｅＢａｎｄ  Ｕｎｉｔ）、モビリティ管理エンティティ（ＭＭＥ、Ｍｏｂｉｌｉｔｙ  Ｍａｎａｇｅｍｅｎｔ  Ｅｎｔｉｔｙ）を含むが、それらに限らず、更に、例えば、ネットワーク装置は無線ローカルエリアネットワーク（ＷＬＡＮ、Ｗｉｒｅｌｅｓｓ  Ｌｏｃａｌ  Ａｒｅａ  Ｎｅｔｗｏｒｋ）におけるノード装置、例えばアクセス制御装置（ＡＣ、ａｃｃｅｓｓ  ｃｏｎｔｒｏｌｌｅｒ）、ゲートウェイ又はＷＩＦＩアクセスポイント（ＡＰ、Ａｃｃｅｓｓ  Ｐｏｉｎｔ）等であってもよい。
【００２９】
以下、図１に示されるネットワークアーキテクチャを参照しながら本願の実施例に係るデータ処理方法を詳しく説明する。
【００３０】
図２に示すとおり、図２は本願の実施例に係るチャネル状態情報の報告方法のフローチャート模式図であり、該方法は以下の内容を含む。
【００３１】
ステップ２０１では、端末装置がＰＭＩなしのＣＳＩ報告方式で用いるＣＱＩ測定方式を決定する。
【００３２】
具体的に、端末装置とネットワーク装置はＰＭＩなしのＣＳＩ報告方式でＣＱＩ推定を行うための少なくとも１つのＣＱＩ測定方式を予め約束する。ＣＱＩ測定方式は、コードブックにおけるプリコード化マトリクスに基づいてＣＱＩ推定を行う第１ＣＱＩ測定方式、干渉測定結果のみに基づいてＣＱＩ推定を行う第２ＣＱＩ測定方式、一部のダウンリンク受信アンテナの対応するダウンリンクチャネル情報に基づいてＣＱＩ推定を行う第３ＣＱＩ測定方式、又は、フォーミングのＣＳＩ−ＲＳポートに基づいてＣＱＩ推定を行う第４ＣＱＩ測定方式である。少なくとも１つのＣＱＩ測定方式は上記第１ＣＱＩ測定方式、上記第２ＣＱＩ測定方式、上記第３ＣＱＩ測定方式及び上記第４ＣＱＩ測定方式のうちの少なくとも１つである。
【００３３】
ステップ２０２では、前記端末装置が決定したＰＭＩなしのＣＳＩ報告方式で用いるＣＱＩ測定方式に基づいてＣＱＩ推定を行う。
【００３４】
ステップ２０３では、前記端末装置が推定で取得したＣＱＩをネットワーク装置に報告し、前記ネットワーク装置が前記端末装置の報告したＣＱＩを受信する。
【００３５】
以上によれば、従来技術に比べて、本願において、ＰＭＩなしのＣＳＩ報告方式でＣＱＩ推定を行うためのＣＱＩ測定方式は１つより多くてもよく、異なるシーンにおいて、端末装置の決定する、ＰＭＩなしのＣＳＩ報告方式で用いるＣＱＩ測定方式は異なってもよく、これにより、端末装置が異なるシーンにおいて同じＣＱＩ測定方式でＣＱＩ推定を行うため、いくつかのシーンにおいて推定して取得したＣＱＩが正確ではないという問題をできる限り回避し、それによって、チャネル状態情報の精度を向上させる。
【００３６】
一例では、ステップ２０１の前に、前記方法は、更に、
前記ネットワーク装置が前記端末装置に第１指示情報を送信し、前記第１指示情報はＰＭＩなしのＣＳＩ報告方式を用いることを指示することに用いられることと、前記端末装置が前記ネットワーク装置からの第１指示情報を受信することと、前記端末装置が前記第１指示情報に基づいてＰＭＩなしのＣＳＩ報告方式を用いると決定することと、を含む。
【００３７】
具体的に、ネットワーク装置が端末装置にダウンリンクシグナリングを送信し、該ダウンリンクシグナリングに上記第１指示情報が含まれる。ダウンリンクシグナリングはネットワーク装置が端末装置に送信した上位レイヤシグナリング、例えば無線リソース制御プロトコル（ＲＲＣ、Ｒａｄｉｏ  Ｒｅｓｏｕｒｃｅ  Ｃｏｎｔｒｏｌ）シグナリングであってもよい。ＲＲＣシグナリングに第１指示情報を含ませる具体的方法は、ＲＲＣに１ｂｉｔの情報（すなわち、第１指示情報）を追加することによりＰＭＩなしのＣＳＩ報告方式を用いるか、それともＰＭＩのあるＣＳＩ報告方式を用いるかを示してもよい。例えば、この１ｂｉｔの値が１である場合、ＰＭＩなしのＣＳＩ報告方式を用いることを示し、この１ｂｉｔの値が０である場合、ＰＭＩのあるＣＳＩ報告方式を用いることを示す。ＰＭＩなしのＣＳＩ報告方式で端末装置がＣＳＩ報告を行うとき、端末装置はＰＭＩを報告せずにＣＱＩのみを報告してもよいし、又は、端末装置はＣＱＩ、ＲＩ及びＣＳＩ−ＲＳリソース指標（ＣＲＩ、ＣＳＩ−ＲＳ  Ｒｅｓｏｕｒｃｅ  Ｉｎｄｉｃａｔｏｒ）等の他のＣＳＩ情報を報告してもよい。
【００３８】
一例では、端末装置が前記第１指示情報を受信する前に、端末装置はデフォルトのＣＳＩ報告方式を用いてもよい。例えば、端末装置が前記第１指示情報を受信する前に、端末装置はデフォルトでＰＭＩのあるＣＳＩ報告方式を用いてもよく、端末装置が前記第１指示情報を受信した後、端末装置は前記第１指示情報に基づいて以後に使用するＰＭＩなしのＣＳＩ報告方式を決定する。
【００３９】
一例では、ステップ２０１の前に、前記方法は、更に、
前記ネットワーク装置が端末装置に第２指示情報を送信し、前記第２指示情報はＰＭＩなしのＣＳＩ報告方式でＣＱＩ推定に用いるＣＱＩ測定方式を示すことに用いられることと、前記端末装置が前記ネットワーク装置からの第２指示情報を受信することと、前記端末装置がＰＭＩなしのＣＳＩ報告方式で用いるＣＱＩ測定方式を決定する具体的な実施形態は、前記端末装置が前記第２指示情報に基づいて、少なくとも１つのＣＱＩ測定方式からＰＭＩなしのＣＳＩ報告方式で用いるＣＱＩ測定方式を決定することを含むことと、を含む。
【００４０】
なお、ここの少なくとも１つのＣＱＩ測定方式とは上記少なくとも１つのＣＱＩ測定方式のことであり、ここで詳細な説明は省略する。
【００４１】
具体的に、ネットワーク装置が端末装置にダウンリンクシグナリングを送信し、該ダウンリンクシグナリングに上記第２指示情報が含まれる。第２指示情報が含まれるダウンリンクシグナリングと第１指示情報が含まれるダウンリンクシグナリングとは同じシグナリングであってもよいし、異なるシグナリングであってもよく、ここでは制限しない。第２指示情報が含まれるダウンリンクシグナリングと第１指示情報が含まれるダウンリンクシグナリングはいずれもＲＲＣシグナリングであると仮定すれば、ＲＲＣシグナリングに第２指示情報を含ませる具体的な方法は、ＲＲＣに第１指示情報が含まれる上で、ＲＲＣに２ｂｉｔの情報（すなわち、第２指示情報）を更に追加することによりＰＭＩなしのＣＳＩ報告方式でＣＱＩ推定に用いるＣＱＩ測定方式を示してもよい。例えば、この２ｂｉｔの値が００である場合、ＰＭＩなしのＣＳＩ報告方式で用いるＣＱＩ測定方式は上記第１ＣＱＩ測定方式であることを示し、この２ｂｉｔの値が０１である場合、ＰＭＩなしのＣＳＩ報告方式で用いるＣＱＩ測定方式は上記第２ＣＱＩ測定方式であることを示し、この２ｂｉｔの値が１０である場合、ＰＭＩなしのＣＳＩ報告方式で用いるＣＱＩ測定方式は上記第３ＣＱＩ測定方式であることを示し、この２ｂｉｔの値が１１である場合、ＰＭＩなしのＣＳＩ報告方式で用いるＣＱＩ測定方式は上記第４ＣＱＩ測定方式であることを示す。
【００４２】
一例では、端末装置が前記第２指示情報を受信する前に、端末装置はデフォルトのＣＱＩ測定方式を用いてもよい。例えば、端末装置が前記第２指示情報を受信する前に、端末装置はデフォルトで上記第２ＣＱＩ測定方式を用いてもよく、端末装置が前記第２指示情報を受信した後、端末装置は前記第２指示情報に基づいて以後に使用するＣＱＩ測定方式を決定する。
【００４３】
一例では、前記端末装置が、ＰＭＩなしのＣＳＩ報告方式で用いるＣＱＩ測定方式が前記第１ＣＱＩ測定方式であることを決定した場合、ステップ２０１の前に、前記方法は、更に、
前記ネットワーク装置が前記端末装置に第３指示情報を送信し、前記第３指示情報はＰＭＩなしのＣＳＩ報告方式でＣＱＩ推定に用いるコードブックタイプを示すことに用いられることと、前記端末装置が前記ネットワーク装置からの第３指示情報を受信することと、以上のステップＳ２０２における、前記端末装置が決定したＰＭＩなしのＣＳＩ報告方式で用いるＣＱＩ測定方式に基づいてＣＱＩ推定を行う具体的な実施形態は、前記端末装置が前記第３指示情報に基づいて予め定義された少なくとも１つのコードブックタイプからＰＭＩ報告なしのフィードバック方式でＣＱＩ推定に用いるコードブックタイプを決定することと、前記端末装置が前記コードブックタイプのコードブックに基づいてＣＱＩ推定を行うことと、を含むことと、を含む。
【００４４】
例えば、前記少なくとも１つのコードブックタイプは端末装置とネットワーク装置が予め約束した２つのコードブックタイプであり、この２つのコードブックタイプは例えばＴｙｐｅ  １  ｃｏｄｅｂｏｏｋ及びＴｙｐｅ  ２  ｃｏｄｅｂｏｏｋである。Ｔｙｐｅ  １  ｃｏｄｅｂｏｏｋは低精度のコードブックを含み、Ｔｙｐｅ  ２  ｃｏｄｅｂｏｏｋは高精度の数値化されたコードブックを含む。
【００４５】
具体的に、ネットワーク装置が端末装置にダウンリンクシグナリングを送信し、該ダウンリンクシグナリングに上記第３指示情報が含まれる。第３指示情報が含まれるダウンリンクシグナリング、第２指示情報が含まれるダウンリンクシグナリング及び第１指示情報が含まれるダウンリンクシグナリングは同じシグナリングであってもよいし、異なるシグナリングであってもよく、ここでは制限しない。第１指示情報、第２指示情報及び第３指示情報が含まれるダウンリンクシグナリングはいずれもＲＲＣシグナリングであると仮定すれば、ＲＲＣシグナリングに第３指示情報を含ませる具体的な方法は、ＲＲＣに第１指示情報及び第２指示情報が含まれる上で、ＲＲＣに１ｂｉｔの情報（すなわち、第３指示情報）を更に追加することによりＰＭＩなしのＣＳＩ報告方式でＣＱＩ推定に用いるコードブックタイプを示してもよい。例えば、この１ｂｉｔの値が０である場合、ＰＭＩなしのＣＳＩ報告方式でＣＱＩ推定に用いるコードブックタイプはＴｙｐｅ  １  ｃｏｄｅｂｏｏｋであることを示し、この１ｂｉｔの値が１である場合、ＰＭＩなしのＣＳＩ報告方式でＣＱＩ推定に用いるコードブックタイプはＴｙｐｅ  ２  ｃｏｄｅｂｏｏｋであることを示す。
【００４６】
一例では、前記端末装置が、ＰＭＩなしのＣＳＩ報告方式で用いるＣＱＩ測定方式が前記第１ＣＱＩ測定方式であることを決定した場合、ステップ２０１の前に、前記方法は、更に、
前記ネットワーク装置が前記端末装置に第４指示情報を送信し、前記第４指示情報は、指定されたコードブックタイプにおける、ＰＭＩなしのＣＳＩ報告方式でＣＱＩ推定に用いるコードブックを示すことに用いられることと、前記端末装置が前記ネットワーク装置からの第４指示情報を受信することと、以上のステップＳ２０２における、前記端末装置が決定したＰＭＩなしのＣＳＩ報告方式で用いるＣＱＩ測定方式に基づいてＣＱＩ推定を行う具体的な実施形態は、前記端末装置が前記第４指示情報に基づいて前記指定されたコードブックタイプからＰＭＩ報告なしの報告方式でＣＱＩ推定に用いるコードブックを決定することと、前記端末装置が前記コードブックに基づいてＣＱＩ推定を行うことと、を含むことと、を含む。
【００４７】
具体的に、指定されたコードブックタイプがＴｙｐｅ  １  ｃｏｄｅｂｏｏｋであると仮定すれば、Ｔｙｐｅ  １  ｃｏｄｅｂｏｏｋにおける異なる設定パラメータが異なるコードブックに対応する。前記第４指示情報はＴｙｐｅ  １  ｃｏｄｅｂｏｏｋの１組の設定パラメータを示すことに用いられ、端末装置は示されたこの組の設定パラメータに基づいてＴｙｐｅ  １  ｃｏｄｅｂｏｏｋから１つのコードブックを決定することができ、次に端末装置は決定したコードブックに基づいてＣＱＩ推定を行う。コードブックタイプの設定パラメータは、アンテナポート数、ビーム総数、サンプリング周波数、１つのビーム群に含まれるビーム数、ビーム群数、アンテナアレイブロック（Ｐａｎｅｌ）数、分極数等のうちの少なくとも１つを含んでもよい。
【００４８】
一例では、前記端末装置が、ＰＭＩなしのＣＳＩ報告方式で用いるＣＱＩ測定方式が前記第１ＣＱＩ測定方式であることを決定した場合、以上のステップＳ２０２における、前記端末装置が決定したＰＭＩなしのＣＳＩ報告方式で用いるＣＱＩ測定方式に基づいてＣＱＩ推定を行う具体的な実施形態は、前記端末装置が目標コードブック又は目標コードブックのサブセットに基づいてＣＱＩ推定を行い、前記目標コードブックは前記端末装置がＰＭＩ報告のあるＣＳＩ報告方式でＣＳＩ測定に用いるコードブックであることを含む。
【００４９】
一実施形態において、目標コードブックは前記端末装置が直近1回のＰＭＩ報告のあるＣＳＩ報告方式でＣＳＩ測定に用いるコードブックである。例えば、端末装置にはＰＭＩ報告のあるＣＳＩ報告方式でＣＳＩ測定に用いる２回のコードブックの記録、例えば、時刻１には、端末装置がＰＭＩ報告のあるＣＳＩ報告方式でＣＳＩ測定に用いるコードブック１、時刻２には、端末装置がＰＭＩ報告のあるＣＳＩ報告方式でＣＳＩ測定に用いるコードブック２の記録があり、時刻２から現在のシステム時間までの間隔が時刻１から現在のシステム時間までの間隔より短いと仮定すれば、コードブック２が目標コードブックとなる。
【００５０】
他の一実施形態において、ネットワーク装置がダウンリンクシグナリング（例えば、上位レイヤシグナリング）によって端末装置に対してＰＭＩ報告のあるＣＳＩ報告方式でＣＳＩ測定に用いるコードブックを設定し、該ダウンリンクシグナリングは同時にＰＭＩ報告なしのＣＳＩ報告方式でＣＳＩ測定に用いるコードブックを設定することにも用いられ、すなわち、ＰＭＩ報告なしのＣＳＩ報告方式にコードブックを更に単独に設定する必要がない。コードブックは複数の異なるサブセットを含んでもよい。このような場合、２つの報告方式は依然として独立したコードブックサブセット制約をＣＱＩ推定に使用してもよく、例えば２つの報告方式は独立したコードブックサブセット制約指示情報を用いる。例えば、ＰＭＩ報告のあるＣＳＩ報告方式では目標コードブックにおけるサブセット１を用いてＣＱＩ推定を行い、ＰＭＩ報告なしのＣＳＩ報告方式では目標コードブックにおけるサブセット２を用いてＣＱＩ推定を行い、サブセット１及びサブセット２はいずれも目標コードブックにおける独立したサブセットである。
【００５１】
なお、上記２つの例を参照して、端末装置がネットワーク装置からの第３指示情報を受信していない場合、端末装置は上記目標コードブック又は上記目標コードブックのサブセットを用いてＣＱＩ推定を行う。端末装置がネットワーク装置からの第３指示情報を受信した場合、端末装置は第３指示情報の示した、ＰＭＩなしのＣＳＩ報告方式でＣＱＩ推定に用いるコードブックタイプのコードブックを用いてＣＱＩ推定を行う。
【００５２】
また、上記第１ＣＱＩ測定方式は端末装置のダウンリンク受信アンテナの数がアップリンク送信アンテナの数に等しいシーンに使用されてもよい。該シーンにおいて、ネットワーク装置はＳＲＳによって完全なダウンリンクチャネル情報を取得することができ、従って、端末装置は第１ＣＱＩ測定方式で比較的に正確なＣＱＩ推定を実現することができる。
【００５３】
一例では、前記端末装置が、ＰＭＩなしのＣＳＩ報告方式で用いるＣＱＩ測定方式が前記第２ＣＱＩ測定方式であることを決定した場合、端末装置は第２ＣＱＩ測定方式でＣＱＩ推定を行う。
【００５４】
具体的に、端末装置のＣＱＩ推定結果はダウンリンク干渉の大きさ（該干渉は同時に騒音部分を含む）のみを示し、信号品質の情報は含まず、ネットワーク装置はチャネルレシプロシティによってダウンリンク信号情報を取得することができ、それにより端末装置のフィードバックした干渉の大きさと組み合わせて最終的なＣＱＩを取得する。例えば、端末装置が干渉測定により取得した干渉の大きさはＩＤＬであると仮定すれば、対応する信号対干渉比ＳＩＮＲ＝１／ＩＤＬであり、チャネル部分の値が１であると仮定する。端末装置は該ＳＩＮＲに基づいてＣＱＩ計算及び報告を行う。
【００５５】
一例では、前記端末装置が、ＰＭＩなしのＣＳＩ報告方式で用いるＣＱＩ測定方式が前記第３ＣＱＩ測定方式であることを決定した場合、前記一部のダウンリンク受信アンテナは前記端末装置がアップリンク伝送を行う際にアップリンク信号を送信するためのアンテナである。
【００５６】
具体的に、端末装置のアップリンク送信アンテナの数がダウンリンク受信アンテナの数より少ない場合、端末装置はアップリンク送信アンテナの対応するダウンリンクチャネル情報のみに基づいてＣＱＩ推定を行ってもよく、それによりＣＱＩ推定の精度を確保する。従って、前記一部のダウンリンク受信アンテナは端末装置がアップリンク伝送時にアップリンク信号を送信するためのアンテナであり、すなわち、端末装置はアップリンク伝送に使用されていないアンテナにおけるチャネル情報に基づいてＣＱＩ推定を行うことはしない。
【００５７】
一例では、前記端末装置が、前記ＰＭＩなしのＣＳＩ報告方式で用いるＣＱＩ測定方式が前記第４ＣＱＩ測定方式であることを決定した場合、以上のステップＳ２０２における前記端末装置が決定したＰＭＩなしのＣＳＩ報告方式で用いるＣＱＩ測定方式に基づいてＣＱＩ推定を行う具体的な実施形態は、前記端末装置が目標ＣＳＩ−ＲＳポートから取得したダウンリンクチャネル情報に基づいてＣＱＩ推定を行い、前記目標ＣＳＩ−ＲＳポートは前記端末装置が前記フォーミングのＣＳＩ−ＲＳポートから選択した少なくとも１つのＣＳＩ−ＲＳポートであることを含む。
【００５８】
具体的に、端末装置は選択した目標ＣＳＩ−ＲＳポートの指示情報もネットワーク装置に報告してもよく、例えば目標ＣＳＩ−ＲＳポートの数をＲＩとして報告してもよい。前記フォーミングのＣＳＩ−ＲＳポートの数は一般的に端末装置におけるダウンリンク伝送のサポートする最大伝送層数であり、各フォーミングされたＣＳＩ−ＲＳポートの取得したダウンリンクチャネルが１つのダウンリンク伝送層の等価チャネルに対応し、端末装置がフォーミングされたＣＳＩ−ＲＳポートに基づいて各ダウンリンク伝送層の等価チャネルを取得し、それによりＣＱＩ及びＲＩ等のチャネル状態情報の推定を行う。
【００５９】
一例では、前記方法は、更に、
前記端末装置が前記決定したＰＭＩなしのＣＳＩ報告方式で用いるＣＱＩ測定方式に基づいてＲＩを推定することと、前記端末装置が推定で取得したＲＩを報告することと、前記ネットワーク装置が前記端末装置の報告したＲＩを受信することと、を含む。
【００６０】
具体的に、ＰＭＩなしのＣＳＩ報告方式で用いるＣＱＩ測定方式が上記第１ＣＱＩ測定方式であると仮定すれば、端末装置は第１ＣＱＩ測定方式でＲＩ推定も行う。また、ＰＭＩなしのＣＳＩ報告方式で用いるＣＱＩ測定方式が上記第２ＣＱＩ測定方式であると仮定すれば、端末装置は第２ＣＱＩ測定方式でＲＩ推定も行い、ここで他の例は省略する。
【００６１】
更に、ＲＩ推定及びＣＱＩ推定は同じＣＱＩ測定方式で同じ推定過程において行われたものであり、端末装置はＲＩを推定するとともに、該ＲＩの対応するＣＱＩも推定する。
【００６２】
上記図２に示される実施例と一致して、図３に示すとおり、図３は本願の実施例に係る端末装置の構造模式図であり、図示のとおり、該端末装置は１つ又は複数のプロセッサ、１つ又は複数のメモリ、１つ又は複数の送受信機及び１つ又は複数のプログラムを備え、前記１つ又は複数のプログラムは前記メモリに記憶され、且つ前記１つ又は複数のプロセッサにより実行されるように構成され、前記プログラムは、
ＰＭＩなしのＣＳＩ報告方式で用いるＣＱＩ測定方式を決定するステップと、
前記ＣＱＩ測定方式でＣＱＩ推定を行い、推定して取得したＣＱＩをネットワーク装置に報告するステップとを実行するための命令を含む。
【００６３】
一例では、ＰＭＩなしのＣＳＩ報告方式で用いるＣＱＩ測定方式を決定する前に、前記プログラムは、更に、
前記ネットワーク装置からの第１指示情報を受信し、前記第１指示情報はＰＭＩなしのＣＳＩ報告方式を用いることを示すことに用いられるステップと、
前記第１指示情報に基づいてＰＭＩなしのＣＳＩ報告方式を用いると決定するステップとを実行するための命令を含む。
【００６４】
一例では、ＰＭＩなしのＣＳＩ報告方式で用いるＣＱＩ測定方式を決定する前に、前記プログラムは、更に、
前記ネットワーク装置からの第２指示情報を受信し、前記第２指示情報はＰＭＩなしのＣＳＩ報告方式でＣＱＩ推定に用いるＣＱＩ測定方式を示すことに用いられるステップを実行するための命令を含み、
ＰＭＩなしのＣＳＩ報告方式で用いるＣＱＩ測定方式を決定することにおいて、前記プログラムは、具体的に、
前記第２指示情報に基づいて少なくとも１つのＣＱＩ測定方式からＰＭＩなしのＣＳＩ報告方式で用いるＣＱＩ測定方式を決定するステップを実行するための命令を含む。
【００６５】
一例では、前記ＣＱＩ測定方式は、
コードブックにおけるプリコード化マトリクスに基づいてＣＱＩ推定を行う第１ＣＱＩ測定方式、
干渉測定結果のみに基づいてＣＱＩ推定を行う第２ＣＱＩ測定方式、
一部のダウンリンク受信アンテナの対応するダウンリンクチャネル情報に基づいてＣＱＩ推定を行う第３ＣＱＩ測定方式、又は、
フォーミングのＣＳＩ−ＲＳポートに基づいてＣＱＩ推定を行う第４ＣＱＩ測定方式である。
【００６６】
一例では、前記端末装置が、ＰＭＩなしのＣＳＩ報告方式で用いるＣＱＩ測定方式が前記第１ＣＱＩ測定方式であることを決定した場合、前記ＣＱＩ測定方式でＣＱＩ推定を行う前に、前記プログラムは、更に、
前記ネットワーク装置からの第３指示情報を受信し、前記第３指示情報はＰＭＩなしのＣＳＩ報告方式でＣＱＩ推定に用いるコードブックタイプを示すことに用いられるステップを実行するための命令を含み、
前記ＣＱＩ測定方式でＣＱＩ推定を行うことにおいて、前記プログラムは、具体的に、
前記第３指示情報に基づいて予め定義された少なくとも１つのコードブックタイプからＰＭＩ報告なしのフィードバック方式でＣＱＩ推定に用いるコードブックタイプを決定するステップと、前記コードブックタイプのコードブックに基づいてＣＱＩ推定を行うステップとを実行するための命令を含む。
【００６７】
一例では、前記端末装置が、ＰＭＩなしのＣＳＩ報告方式で用いるＣＱＩ測定方式が前記第１ＣＱＩ測定方式であることを決定した場合、前記ＣＱＩ測定方式でＣＱＩ推定を行う前に、前記プログラムは、更に、
前記ネットワーク装置からの第４指示情報を受信し、第４指示情報は指定されたコードブックタイプにおける、ＰＭＩなしのＣＳＩ報告方式でＣＱＩ推定に用いるコードブックを示すことに用いられるステップを実行するための命令を含み、
前記ＣＱＩ測定方式でＣＱＩ推定を行うことにおいて、前記プログラムは、具体的に、
前記第４指示情報に基づいて前記指定されたコードブックタイプからＰＭＩ報告なしのフィードバック方式でＣＱＩ推定に用いるコードブックを決定するステップと、前記コードブックに基づいてＣＱＩ推定を行うステップとを実行するための命令を含む。
【００６８】
一例では、前記端末装置が、ＰＭＩなしのＣＳＩ報告方式で用いるＣＱＩ測定方式が前記第１ＣＱＩ測定方式であることを決定した場合、前記ＣＱＩ測定方式でＣＱＩ推定を行うことにおいて、前記プログラムは、具体的に、
目標コードブック又は目標コードブックのサブセットに基づいてＣＱＩ推定を行い、前記目標コードブックは前記端末装置がＰＭＩ報告のあるＣＳＩ報告方式でＣＳＩ測定に用いるコードブックであるステップを実行するための命令を含む。
【００６９】
一例では、前記一部のダウンリンク受信アンテナは前記端末装置がアップリンク伝送を行う際にアップリンク信号を送信するためのアンテナである。
【００７０】
一例では、前記端末装置が、ＰＭＩなしのＣＳＩ報告方式で用いるＣＱＩ測定方式が前記第４ＣＱＩ測定方式であることを決定した場合、前記ＣＱＩ測定方式でＣＱＩ推定を行うことにおいて、前記プログラムは、具体的に、
目標ＣＳＩ−ＲＳポートから取得したダウンリンクチャネル情報に基づいてＣＱＩ推定を行い、前記目標ＣＳＩ−ＲＳポートは前記端末装置が前記フォーミングのＣＳＩ−ＲＳポートから選択した少なくとも１つのＣＳＩ−ＲＳポートであるステップを実行するための命令を含む。
【００７１】
一例では、前記プログラムは、更に、
前記決定したＰＭＩなしのＣＳＩ報告方式で用いるＣＱＩ測定方式でＲＩを推定するステップと、推定で取得したＲＩを報告するステップとを実行するための命令を含む。
【００７２】
なお、本実施例に記載の内容の具体的な実現方式は上記方法を参照してもよく、ここで詳細な説明は省略する。
【００７３】
上記図２に示される実施例と一致して、図４に示すとおり、図４は本願の実施例に係るネットワーク装置の構造模式図であり、図示のとおり、該ネットワーク装置は１つ又は複数のプロセッサ、１つ又は複数のメモリ、１つ又は複数の送受信機及び１つ又は複数のプログラムを備え、前記１つ又は複数のプログラムは前記メモリに記憶され、且つ前記１つ又は複数のプロセッサにより実行されるように構成され、前記プログラムは、
端末装置の報告したチャネル品質指標（ＣＱＩ）を受信し、前記ＣＱＩは前記端末装置がプリコード化マトリクス指標（ＰＭＩ）なしのＣＳＩ報告方式でＣＱＩ測定方式に基づいてＣＱＩ推定を行って取得したものであるステップを実行するための命令を含む。
【００７４】
一例では、端末装置の報告するＣＱＩを受信する前に、前記プログラムは、更に、
前記端末装置に第１指示情報を送信し、前記第１指示情報はＰＭＩなしのＣＳＩ報告方式を用いることを示すことに用いられるステップを実行するための命令を含む。
【００７５】
一例では、端末装置の報告するＣＱＩを受信する前に、前記プログラムは、更に、
前記端末装置に第２指示情報を送信し、前記第２指示情報はＰＭＩなしのＣＳＩ報告方式でＣＱＩ推定に用いるＣＱＩ測定方式を示すことに用いられるステップを実行するための命令を含む。
【００７６】
一例では、前記ＣＱＩ測定方式は、１）コードブックにおけるプリコード化マトリクスに基づいてＣＱＩ推定を行う第１ＣＱＩ測定方式、２）干渉測定結果のみに基づいてＣＱＩ推定を行う第２ＣＱＩ測定方式、３）一部のダウンリンク受信アンテナの対応するダウンリンクチャネル情報に基づいてＣＱＩ推定を行う第３ＣＱＩ測定方式、４）フォーミングのＣＳＩ−ＲＳポートに基づいてＣＱＩ推定を行う第４ＣＱＩ測定方式のうちの少なくとも１つを含む。
【００７７】
一例では、前記端末装置が、ＰＭＩなしのＣＳＩ報告方式で用いるＣＱＩ測定方式が前記第１ＣＱＩ測定方式であることを決定した場合、端末装置の報告するＣＱＩを受信する前に、前記プログラムは、更に、
前記端末装置に第３指示情報を送信し、前記第３指示情報はＰＭＩなしのＣＳＩ報告方式でＣＱＩ推定に用いるコードブックタイプを示すことに用いられるステップを実行するための命令を含む。
【００７８】
一例では、前記端末装置が、ＰＭＩなしのＣＳＩ報告方式で用いるＣＱＩ測定方式が前記第１ＣＱＩ測定方式であることを決定した場合、端末装置の報告するＣＱＩを受信する前に、前記プログラムは、更に、
前記端末装置に第４指示情報を送信し、第４指示情報は指定されたコードブックタイプにおける、ＰＭＩなしのＣＳＩ報告方式でＣＱＩ推定に用いるコードブックを示すことに用いられるステップを実行するための命令を含む。
【００７９】
一例では、前記プログラムは、更に、
前記端末装置の報告するランク指標（ＲＩ）を受信し、前記ＲＩは前記端末装置がＰＭＩなしのＣＳＩ報告方式で用いるＣＱＩ測定方式に基づいて推定して取得したものであるステップを実行するための命令を含む。
【００８０】
なお、本実施例に記載の内容の具体的な実現方式は上記方法を参照してもよく、ここで詳細な説明は省略する。
【００８１】
以上は主に各ネットワーク要素間のインタラクションの観点から本願の実施例の解決手段を説明した。理解されるべきように、通信装置は上記機能を実現するために、各機能を実行するための対応するハードウェア構造及び／又はソフトウェアモジュールを備える。当業者であれば意識できるように、本明細書に開示される実施例に記載の各例示的なユニット及びアルゴリズムステップを参照して、本願はハードウェア又はハードウェアとコンピュータソフトウェアとの組み合わせで実現できる。ある機能をハードウェアで実行するかそれともコンピュータソフトウェアでハードウェアを駆動するという方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【００８２】
本願の実施例においては、上記方法例に基づいて端末装置及びネットワーク装置に対して機能ユニット上の区分を行うことができ、例えば、各機能に対応するように各機能ユニットを区分してもよいし、２つ又は２つ以上の機能を１つの処理ユニットに統合してもよい。上記統合されたユニットはハードウェアの形式で実現されてもよいし、ソフトウェアプログラムモジュールの形式で実現されてもよい。説明されるべきように、本願の実施例において、ユニットの区分は模式的なものであり、論理機能上の区分に過ぎず、実際に実現するときは、他の区分方式があってもよい。
【００８３】
統合されたユニット又はモジュールを用いる場合、図５には上記実施例に係る端末装置の可能な機能ユニットの構成ブロック図を示す。該端末装置５００は処理ユニット５０１、通信ユニット５０２及び記憶ユニット５０３を備える。処理ユニット５０１は端末装置の動作を制御・管理することに用いられ、通信ユニット５０２は端末装置と他の装置との通信をサポートすることに用いられ、記憶ユニット５０３は通信装置のプログラムコード及びデータを記憶することに用いられる。なお、処理ユニット５０１、通信ユニット５０２及び記憶ユニット５０３は以上の方法における実行するステップの実行をサポートすることに用いられ、ここで詳細な説明は省略する。
【００８４】
処理ユニット５０１はプロセッサ又は制御装置、例えば中央処理装置（ＣＰＵ、Ｃｅｎｔｒａｌ  Ｐｒｏｃｅｓｓｉｎｇ  Ｕｎｉｔ）、汎用プロセッサ、デジタルシグナルプロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ−Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、トランジスタロジックデバイス、ハードウェア部材又はそれらの任意の組み合わせであってもよい。それは本願に開示される内容を参照して説明した様々な例示的な論理ブロック、モジュール及び回路を実現又は実行することができる。前記プロセッサは更に計算機能を実現する組み合わせ、例えば１つ又は複数のマイクロプロセッサの組み合わせ、ＤＳＰとマイクロプロセッサとの組み合わせ等であってもよい。通信ユニット５０２は送受信機、送受信回路、無線周波数チップ等であってもよく、記憶ユニット５０３はメモリであってもよい。
【００８５】
処理ユニット５０１がプロセッサ、通信ユニット５０２が通信インターフェース、記憶ユニット５０３がメモリである場合、本願の実施例に係る通信装置は図３に示される端末装置であってもよい。
【００８６】
統合されたユニット又はモジュールを用いる場合、図６には上記実施例に係るネットワーク装置の可能な機能ユニットの構成ブロック図を示す。該ネットワーク装置６００は処理ユニット６０１、通信ユニット６０２及び記憶ユニット６０３を備える。処理ユニット６０１はネットワーク装置の動作を制御・管理することに用いられ、通信ユニット６０２はネットワーク装置と他の装置との通信をサポートすることに用いられ、記憶ユニット６０３は通信装置のプログラムコード及びデータを記憶することに用いられる。なお、処理ユニット６０１、通信ユニット６０２及び記憶ユニット６０３は以上の方法における実行するステップの実行をサポートすることに用いられ、ここで詳細な説明は省略する。
【００８７】
処理ユニット６０１はプロセッサ又は制御装置、例えば中央処理装置（ＣＰＵ、Ｃｅｎｔｒａｌ  Ｐｒｏｃｅｓｓｉｎｇ  Ｕｎｉｔ）、汎用プロセッサ、デジタルシグナルプロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ−Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、トランジスタロジックデバイス、ハードウェア部材又はそれらの任意の組み合わせであってもよい。それは本願に開示される内容を参照して説明した様々な例示的な論理ブロック、モジュール及び回路を実現又は実行することができる。前記プロセッサは更に計算機能を実現する組み合わせ、例えば１つ又は複数のマイクロプロセッサの組み合わせ、ＤＳＰとマイクロプロセッサとの組み合わせ等であってもよい。通信ユニット６０２は送受信機、送受信回路、無線周波数チップ等であってもよく、記憶ユニット６０３はメモリであってもよい。
【００８８】
処理ユニット６０１がプロセッサ、通信ユニット６０２が通信インターフェース、記憶ユニット６０３がメモリである場合、本願の実施例に係る通信装置は図４に示されるネットワーク装置であってもよい。
【００８９】
本願の実施例は更に端末装置を提供し、図７に示すように、説明の都合上、本願の実施例に関連する部分のみを示し、示されていない具体的な技術的詳細については、本願の実施例の方法部分を参照してもよい。該端末装置は携帯電話、タブレットＰＣ、ＰＤＡ（Ｐｅｒｓｏｎａｌ  Ｄｉｇｉｔａｌ  Ａｓｓｉｓｔａｎｔ、パーソナルデジタルアシスタント）、ＰＯＳ（Ｐｏｉｎｔ  ｏｆ  Ｓａｌｅｓ、販売端末）、車載コンピュータ等の任意の端末装置であってもよく、端末装置が携帯電話である場合を例とすれば、
図７には本願の実施例に係る端末装置に関連する携帯電話の一部の構造のブロック図を示す。図７に示すように、携帯電話は無線周波数（ＲＦ、Ｒａｄｉｏ  Ｆｒｅｑｕｅｎｃｙ）回路９１０、メモリ９２０、入力ユニット９３０、表示ユニット９４０、センサ９５０、オーディオ回路９６０、ワイヤレスフィデリティ（ＷｉＦｉ、Ｗｉｒｅｌｅｓｓ  Ｆｉｄｅｌｉｔｙ）モジュール９７０、プロセッサ９８０及び電源９９０等の部材を備える。当業者であれば理解できるように、図７に示される携帯電話の構造は携帯電話を制限するためのものではなく、図示より更に多く又は更に少ない部材を備えてもよく、又はいくつかの部材を組み合わせてもよく、又は異なる部材を配置してもよい。
【００９０】
以下、図７を参照しながら携帯電話の各構成部材を具体的に説明する。
【００９１】
ＲＦ回路９１０は情報の受信及び送信に使用できる。一般的に、ＲＦ回路９１０はアンテナ、少なくとも１つの増幅器、送受信機、結合器、低雑音増幅器（ＬＮＡ、Ｌｏｗ  Ｎｏｉｓｅ  Ａｍｐｌｉｆｉｅｒ）、デュプレクサ等を含むが、それらに限らない。なお、ＲＦ回路９１０は更に無線通信及びネットワーク経由で他の装置と通信することができる。上記無線通信は、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）、汎用パケット無線サービス（ＧＰＲＳ、Ｇｅｎｅｒａｌ  Ｐａｃｋｅｔ  Ｒａｄｉｏ  Ｓｅｒｖｉｃｅ）、符号分割多元接続（ＣＤＭＡ、Ｃｏｄｅ  Ｄｉｖｉｓｉｏｎ  Ｍｕｌｔｉｐｌｅ  Ａｃｃｅｓｓ）、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）、ロングタームエボリューション（ＬＴＥ、Ｌｏｎｇ  Ｔｅｒｍ  Ｅｖｏｌｕｔｉｏｎ）、電子メール、ショットメッセージサービス（ＳＭＳ、Ｓｈｏｒｔ  Ｍｅｓｓａｇｉｎｇ  Ｓｅｒｖｉｃｅ）等を含むが、それらに限らないいずれか１つの通信規格又はプロトコルを使用できる。
【００９２】
メモリ９２０はソフトウェアプログラム及びモジュールを記憶することに使用でき、プロセッサ９８０はメモリ９２０に記憶されるソフトウェアプログラム及びモジュールを実行することにより、携帯電話の様々な機能アプリケーション及びデータ処理を実行する。メモリ９２０は主にプログラム記憶領域及びデータ記憶領域を備えてもよく、プログラム記憶領域はオペレーティングシステム、少なくとも１つの機能に必要なアプリケーションプログラム等を記憶することができ、データ記憶領域は携帯電話の使用によって新規作成されたデータ等を記憶することができる。また、メモリ９２０は高速ランダムアクセスメモリを含んでもよく、更に不揮発性メモリ、例えば少なくとも１つの磁気ディスク記憶装置、フラッシュメモリデバイス、又は他の揮発性固体記憶装置を含んでもよい。
【００９３】
入力ユニット９３０は入力された数字又は文字情報を受信して、携帯電話のユーザー設定及び機能制御に関連するキー信号入力を発生させることに使用できる。具体的に、入力ユニット９３０は指紋認識モジュール９３１及び他の入力装置９３２を備えてもよい。指紋認識モジュール９３１はユーザーのその上での指紋データを収集することができる。指紋認識モジュール９３１以外に、入力ユニット９３０は更に他の入力装置９３２を備えてもよい。具体的に、他の入力装置９３２はタッチパネル、物理キーボード、機能キー（例えば、音量制御キー、スイッチキー等）、トラックボール、マウス、操作レバー等のうちの１つ又は複数を含んでもよいが、それらに限らない。
【００９４】
表示ユニット９４０はユーザーの入力した情報又はユーザーに提供した情報及び携帯電話の様々なメニューを表示することに使用できる。表示ユニット９４０はディスプレイ９４１を備えてもよく、選択肢として、液晶ディスプレイ（ＬＣＤ、Ｌｉｑｕｉｄ  Ｃｒｙｓｔａｌ  Ｄｉｓｐｌａｙ）、有機発光ダイオード（ＯＬＥＤ、Ｏｒｇａｎｉｃ  Ｌｉｇｈｔ−Ｅｍｉｔｔｉｎｇ  Ｄｉｏｄｅ）等の形式でディスプレイ９４１を構成してもよい。図７では、指紋認識モジュール９３１とディスプレイ９４１は２つの独立した部材として携帯電話の入力及び入力機能を実現するが、いくつかの実施例においては、指紋認識モジュール９３１とディスプレイ９４１を統合して携帯電話の入力及び再生機能を実現してもよい。
【００９５】
携帯電話は更に少なくとも１つのセンサ９５０、例えば光センサ、運動センサ及び他のセンサを備えてもよい。具体的に、光センサは環境光センサ及び接近センサを含んでもよく、環境光センサは環境光の輝度に応じてディスプレイ９４１の輝度を調整することができ、接近センサは携帯電話が耳元に移動するとき、ディスプレイ９４１及び／又はバックライトをオフにすることができる。運動センサの１つとして、加速度センサは各方向（一般的に３軸）における加速度の大きさを検出することができ、静止時に重力の大きさ及び方向を検出することができ、携帯電話の姿勢を認識するアプリケーション（例えば、水平画面及び垂直画面の切り替え、関連ゲーム、磁力計の姿勢較正）、振動認識に関連する機能（例えば、万歩計、ハンマリング）等に使用でき、携帯電話に更に配置できるジャイロスコープ、気圧計、湿度計、温度計、赤外線センサ等の他のセンサについては、詳細な説明は省略する。
【００９６】
オーディオ回路９６０、拡声器９６１、マイクロフォン９６２はユーザーと携帯電話との間のオーディオインターフェースを提供することができる。オーディオ回路９６０は受信したオーディオデータを変換後の電気信号を拡声器９６１に伝送することができ、拡声器９６１によって音声信号に変換して再生し、一方、マイクロフォン９６２は収集した音声信号を電気信号に変換し、オーディオ回路９６０によって受信された後、オーディオデータに変換し、更にオーディオデータをプロセッサ９８０に再生して処理した後、ＲＦ回路９１０を介して例えば他の携帯電話に送信し、又は、さらなる処理をするために、オーディオデータをメモリ９２０に再生する。
【００９７】
ＷｉＦｉは近距離無線伝送技術に属し、携帯電話はＷｉＦｉモジュール９７０によってユーザーが電子メールを送受信し、ホームページをブラウジングし及びストリーミングメディアにアクセスする等をサポートでき、ユーザーに無線ブロードバンドインターネットアクセスを提供する。図７にはＷｉＦｉモジュール９７０が示されているが、理解できるように、前記ＷｉＦｉモジュール９７０は携帯電話の必須構成に属さず、必要に応じて発明の本質を変えない範囲内において省略されてもよい。
【００９８】
プロセッサ９８０は携帯電話の制御センターであり、様々なインターフェース及び回路を利用して携帯電話全体の各部分に接続し、メモリ９２０に記憶されるソフトウェアプログラム及び／又はモジュールを実行し、及びメモリ９２０に記憶されるデータを呼び出すことにより、携帯電話の様々な機能を実行しそして処理データを処理し、これにより、携帯電話全体を監視・制御する。選択肢として、プロセッサ９８０は１つ又は複数の処理ユニットを備えてもよく、好ましくは、プロセッサ９８０はアプリケーションプロセッサ及びモデムプロセッサを統合してもよく、アプリケーションプロセッサは主にオペレーティングシステム、ユーザーインターフェース及びアプリケーションプログラム等を処理し、モデムプロセッサは主に無線通信を処理する。理解できるように、上記モデムプロセッサはプロセッサ９８０に統合されなくてもよい。
【００９９】
携帯電話は更に各部材に給電する電源９９０（例えば、電池）を備え、好ましくは、電源は電源管理システムによってプロセッサ９８０に論理的に接続されてもよく、それにより電源管理システムによって充電、放電及び電力消費管理等の機能を実現する。
【０１００】
図示されていないが、携帯電話は更にカメラ、ブルートゥースモジュール等を備えてもよく、ここで詳細な説明は省略する。
【０１０１】
前述の図２に示される実施例において、各ステップ方法における端末装置側のプロセスは該携帯電話の構造に基づいて実現されてもよい。
【０１０２】
前述の図５に示される実施例において、各ユニット機能は該携帯電話の構造に基づいて実現されてもよい。
【０１０３】
本願の実施例は更にコンピュータ可読記憶媒体を提供し、前記コンピュータ可読記憶媒体に電子データ交換のためのコンピュータプログラムが記憶され、前記コンピュータプログラムによってコンピュータが上記方法実施例における端末装置について説明される一部又は全部のステップを実行する。
【０１０４】
本願の実施例は更にコンピュータ可読記憶媒体を提供し、前記コンピュータ可読記憶媒体に電子データ交換のためのコンピュータプログラムが記憶され、前記コンピュータプログラムによってコンピュータが上記方法実施例におけるネットワーク装置について説明される一部又は全部のステップを実行する。
【０１０５】
本願の実施例は更にコンピュータプログラム製品を提供し、前記コンピュータプログラム製品はコンピュータプログラムが記憶される非一時的コンピュータ可読記憶媒体を含み、前記コンピュータプログラムを操作することによりコンピュータが上記方法における端末装置について説明される一部又は全部のステップを実行する。該コンピュータプログラム製品は１つのソフトウェアインストールパッケージであってもよい。
【０１０６】
本願の実施例は更にコンピュータプログラム製品を提供し、前記コンピュータプログラム製品はコンピュータプログラムが記憶される非一時的コンピュータ可読記憶媒体を含み、前記コンピュータプログラムを操作することによりコンピュータが上記方法実施例におけるネットワーク装置について説明される一部又は全部のステップを実行する。該コンピュータプログラム製品は１つのソフトウェアインストールパッケージであってもよい。
【０１０７】
本願の実施例に説明される方法又はアルゴリズムステップはハードウェアの方式で実現されてもよいし、プロセッサがソフトウェア命令を実行することで実現されてもよい。ソフトウェア命令は対応するソフトウェアモジュールで構成されてもよく、ソフトウェアモジュールはランダムアクセスメモリ（ＲＡＭ、Ｒａｎｄｏｍ  Ａｃｃｅｓｓ  Ｍｅｍｏｒｙ）、フラッシュメモリ、読み出し専用メモリ（ＲＯＭ、Ｒｅａｄ  Ｏｎｌｙ  Ｍｅｍｏｒｙ）、消去可能プログラム可能読み出し専用メモリ（ＥＰＲＯＭ、Ｅｒａｓａｂｌｅ  Ｐｒｏｇｒａｍｍａｂｌｅ  ＲＯＭ）、電気的消去可能プログラム可能読み出し専用メモリ（ＥＥＰＲＯＭ、Ｅｌｅｃｔｒｉｃａｌｌｙ  ＥＰＲＯＭ）、レジスタ、ハードディスク、ポータブルハードディスク、読み出し専用光ディスク（ＣＤ−ＲＯＭ）又は本分野でよく知られているいかなる他の形式の記憶媒体に記憶されてもよい。例示的なものとして、記憶媒体がプロセッサに結合されることにより、プロセッサは該記憶媒体から情報を読み取り、そして該記憶媒体に情報を書き込むことができる。当然ながら、記憶媒体は更にプロセッサの構成部分であってもよい。プロセッサ及び記憶媒体はＡＳＩＣに位置してもよい。また、該ＡＳＩＣはアクセスネットワーク装置、目標ネットワーク装置又はコアネットワーク装置に位置してもよい。当然ながら、プロセッサ及び記憶媒体は個別コンポーネントとしてアクセスネットワーク装置、目標ネットワーク装置又はコアネットワーク装置に位置してもよい。
【０１０８】
当業者であれば意識できるように、上記１つ又は複数の例では、本願の実施例に説明される機能はソフトウェア、ハードウェア、ファームウェア又はそれらの任意の組み合わせで全体的又は部分的に実現できる。ソフトウェアで実現するとき、全体的又は部分的にコンピュータプログラム製品の形式で実現できる。前記コンピュータプログラム製品は１つ又は複数のコンピュータ命令を含む。コンピュータにおいて前記コンピュータプログラム命令をロード・実行するとき、全体的又は部分的に本願の実施例に記載のプロセス又は機能を発生させる。前記コンピュータは汎用コンピュータ、専用コンピュータ、コンピュータネットワーク又は他のプログラム可能装置であってもよい。前記コンピュータ命令はコンピュータ可読記憶媒体に記憶され、又は一方のコンピュータ可読記憶媒体から他方のコンピュータ可読記憶媒体まで伝送されてもよく、例えば、前記コンピュータ命令は一方のウェブサイト、コンピュータ、サーバ又はデータセンターから有線（例えば、同軸ケーブル、光ファイバー、デジタル加入者回線（ＤＳＬ、Ｄｉｇｉｔａｌ  Ｓｕｂｓｃｒｉｂｅｒ  Ｌｉｎｅ））又は無線（例えば、赤外線、無線、マイクロ波等）方式で他方のウェブサイト、コンピュータ、サーバ又はデータセンターまで伝送されてもよい。前記コンピュータ可読記憶媒体はコンピュータのアクセスできるいかなる利用可能な媒体又は１つ又は複数の利用可能な媒体からなるサーバ、データセンター等のデータ記憶装置であってもよい。前記利用可能な媒体は磁気媒体（例えば、フロッピーディスク、ハードディスク、磁気テープ）、光媒体（例えば、デジタルビデオディスク（ＤＶＤ、Ｄｉｇｉｔａｌ  Ｖｉｄｅｏ  Ｄｉｓｃ））又は半導体媒体（例えば、ソリッドステートディスク（ＳＳＤ、Ｓｏｌｉｄ  Ｓｔａｔｅ  Ｄｉｓｋ））等であってもよい。
【０１０９】
以上に記載の具体的な実施形態は本願の実施例の目的、技術案及び有益な効果をより詳しく説明したが、理解されるべきように、以上の説明は本願の実施例の具体的な実施形態に過ぎず、本願の実施例の保護範囲を制限するためのものではなく、本願の実施例の技術案に基づいて行った何かの修正、同等の代替、改良等は、いずれも本願の実施例の保護範囲内に含まれるべきである。
【図１】
2020534719.tif 000003
【図２】
2020534719.tif 000004
【図３】
2020534719.tif 000005
【図４】
2020534719.tif 000006
【図５】
2020534719.tif 000007
【図６】
2020534719.tif 000008
【図７】
2020534719.tif 000009
【手続補正書】
【提出日】令和2年7月21日(2020.7.21)
【手続補正１】
【補正対象書類名】明細書
【補正対象項目名】００２９
【補正方法】変更
【補正の内容】
【００２９】
以下、図１に示されるネットワークアーキテクチャを参照しながら本願の実施例に係るチャネル状態情報の報告方法を詳しく説明する。
【手続補正２】
【補正対象書類名】明細書
【補正対象項目名】００４３
【補正方法】変更
【補正の内容】
【００４３】
一例では、前記端末装置が、ＰＭＩなしのＣＳＩ報告方式で用いるＣＱＩ測定方式が前記第１ＣＱＩ測定方式であることを決定した場合、ステップ２０１の前に、前記方法は、更に、
前記ネットワーク装置が前記端末装置に第３指示情報を送信し、前記第３指示情報はＰＭＩなしのＣＳＩ報告方式でＣＱＩ推定に用いるコードブックタイプを示すことに用いられることと、前記端末装置が前記ネットワーク装置からの第３指示情報を受信することと、以上のステップＳ２０２における、前記端末装置が決定したＰＭＩなしのＣＳＩ報告方式で用いるＣＱＩ測定方式に基づいてＣＱＩ推定を行う具体的な実施形態は、前記端末装置が前記第３指示情報に基づいて予め定義された少なくとも１つのコードブックタイプからＰＭＩなしのＣＳＩ報告方式でＣＱＩ推定に用いるコードブックタイプを決定することと、前記端末装置が前記コードブックタイプのコードブックに基づいてＣＱＩ推定を行うことと、を含むことと、を含む。
【手続補正３】
【補正対象書類名】明細書
【補正対象項目名】００６６
【補正方法】変更
【補正の内容】
【００６６】
一例では、前記端末装置が、ＰＭＩなしのＣＳＩ報告方式で用いるＣＱＩ測定方式が前記第１ＣＱＩ測定方式であることを決定した場合、前記ＣＱＩ測定方式でＣＱＩ推定を行う前に、前記プログラムは、更に、
前記ネットワーク装置からの第３指示情報を受信し、前記第３指示情報はＰＭＩなしのＣＳＩ報告方式でＣＱＩ推定に用いるコードブックタイプを示すことに用いられるステップを実行するための命令を含み、
前記ＣＱＩ測定方式でＣＱＩ推定を行うことにおいて、前記プログラムは、具体的に、
前記第３指示情報に基づいて予め定義された少なくとも１つのコードブックタイプからＰＭＩなしのＣＳＩ報告方式でＣＱＩ推定に用いるコードブックタイプを決定するステップと、前記コードブックタイプのコードブックに基づいてＣＱＩ推定を行うステップとを実行するための命令を含む。
【手続補正４】
【補正対象書類名】明細書
【補正対象項目名】００６７
【補正方法】変更
【補正の内容】
【００６７】
一例では、前記端末装置が、ＰＭＩなしのＣＳＩ報告方式で用いるＣＱＩ測定方式が前記第１ＣＱＩ測定方式であることを決定した場合、前記ＣＱＩ測定方式でＣＱＩ推定を行う前に、前記プログラムは、更に、
前記ネットワーク装置からの第４指示情報を受信し、第４指示情報は指定されたコードブックタイプにおける、ＰＭＩなしのＣＳＩ報告方式でＣＱＩ推定に用いるコードブックを示すことに用いられるステップを実行するための命令を含み、
前記ＣＱＩ測定方式でＣＱＩ推定を行うことにおいて、前記プログラムは、具体的に、
前記第４指示情報に基づいて前記指定されたコードブックタイプからＰＭＩなしのＣＳＩ報告方式でＣＱＩ推定に用いるコードブックを決定するステップと、前記コードブックに基づいてＣＱＩ推定を行うステップとを実行するための命令を含む。
【手続補正５】
【補正対象書類名】明細書
【補正対象項目名】００９４
【補正方法】変更
【補正の内容】
【００９４】
表示ユニット９４０はユーザーの入力した情報又はユーザーに提供した情報及び携帯電話の様々なメニューを表示することに使用できる。表示ユニット９４０はディスプレイ９４１を備えてもよく、選択肢として、液晶ディスプレイ（ＬＣＤ、Ｌｉｑｕｉｄ  Ｃｒｙｓｔａｌ  Ｄｉｓｐｌａｙ）、有機発光ダイオード（ＯＬＥＤ、Ｏｒｇａｎｉｃ  Ｌｉｇｈｔ−Ｅｍｉｔｔｉｎｇ  Ｄｉｏｄｅ）等の形式でディスプレイ９４１を構成してもよい。図７では、指紋認識モジュール９３１とディスプレイ９４１は２つの独立した部材として携帯電話の入力及び再生機能を実現するが、いくつかの実施例においては、指紋認識モジュール９３１とディスプレイ９４１を統合して携帯電話の入力及び再生機能を実現してもよい。
【手続補正６】
【補正対象書類名】特許請求の範囲
【補正対象項目名】全文
【補正方法】変更
【補正の内容】
【特許請求の範囲】
【請求項１】
チャネル状態情報（ＣＳＩ）の報告方法であって、
端末装置がプリコード化マトリクス指標（ＰＭＩ）なしのＣＳＩ報告方式で用いるチャネル品質指標（ＣＱＩ）測定方式を決定することと、
前記端末装置が前記ＣＱＩ測定方式でＣＱＩ推定を行い、推定で取得したＣＱＩをネットワーク装置に報告することと、を含むことを特徴とするチャネル状態情報（ＣＳＩ）の報告方法。
【請求項２】
前記端末装置がＰＭＩなしのＣＳＩ報告方式で用いるＣＱＩ測定方式を決定する前に、前記方法は、更に、
前記端末装置が前記ネットワーク装置からの第１指示情報を受信し、前記第１指示情報はＰＭＩなしのＣＳＩ報告方式を用いることを示すことに用いられることと、
前記端末装置が前記第１指示情報に基づいてＰＭＩなしのＣＳＩ報告方式を用いると決定することと、を含むことを特徴とする請求項１に記載の方法。
【請求項３】
前記端末装置がＰＭＩなしのＣＳＩ報告方式で用いるＣＱＩ測定方式を決定する前に、前記方法は、更に、
前記端末装置が前記ネットワーク装置からの第２指示情報を受信し、前記第２指示情報はＰＭＩなしのＣＳＩ報告方式でＣＱＩ推定に用いるＣＱＩ測定方式を示すことに用いられることを含み、
前記端末装置がＰＭＩなしのＣＳＩ報告方式で用いるＣＱＩ測定方式を決定することは、前記端末装置が前記第２指示情報に基づいて少なくとも１つのＣＱＩ測定方式からＰＭＩなしのＣＳＩ報告方式で用いるＣＱＩ測定方式を決定することを含むことを特徴とする請求項１又は２に記載の方法。
【請求項４】
前記ＣＱＩ測定方式は、
コードブックにおけるプリコード化マトリクスに基づいてＣＱＩ推定を行う第１ＣＱＩ測定方式、
干渉測定結果のみに基づいてＣＱＩ推定を行う第２ＣＱＩ測定方式、
一部のダウンリンク受信アンテナの対応するダウンリンクチャネル情報に基づいてＣＱＩ推定を行う第３ＣＱＩ測定方式、又は、
フォーミングのＣＳＩ−ＲＳポートに基づいてＣＱＩ推定を行う第４ＣＱＩ測定方式であることを特徴とする請求項１〜３のいずれか１項に記載の方法。
【請求項５】
前記端末装置が、ＰＭＩなしのＣＳＩ報告方式で用いるＣＱＩ測定方式が前記第４ＣＱＩ測定方式であることを決定した場合、前記端末装置が前記ＣＱＩ測定方式でＣＱＩ推定を行うことは、
前記端末装置が目標ＣＳＩ−ＲＳポートから取得したダウンリンクチャネル情報に基づいてＣＱＩ推定を行い、前記目標ＣＳＩ−ＲＳポートは前記端末装置が前記フォーミングのＣＳＩ−ＲＳポートから選択した少なくとも１つのＣＳＩ−ＲＳポートであることを含むことを特徴とする請求項４に記載の方法。
【請求項６】
前記方法は、更に、
前記端末装置が前記決定したＰＭＩなしのＣＳＩ報告方式で用いるＣＱＩ測定方式に基づいてランク指標（ＲＩ）を推定することと、
前記端末装置が推定で取得したＲＩを報告することと、を含むことを特徴とする請求項１〜５のいずれか１項に記載の方法。
【請求項７】
チャネル状態情報（ＣＳＩ）の報告方法であって、
ネットワーク装置が端末装置の報告したチャネル品質指標（ＣＱＩ）を受信し、前記ＣＱＩは前記端末装置がプリコード化マトリクス指標（ＰＭＩ）なしのＣＳＩ報告方式でＣＱＩ測定方式に基づいてＣＱＩ推定を行って取得したものであることを含むことを特徴とするチャネル状態情報（ＣＳＩ）の報告方法。
【請求項８】
前記ネットワーク装置が端末装置の報告するＣＱＩを受信する前に、前記方法は、更に、
前記ネットワーク装置が前記端末装置に第１指示情報を送信し、前記第１指示情報はＰＭＩなしのＣＳＩ報告方式を用いることを示すことに用いられることを含むことを特徴とする請求項７に記載の方法。
【請求項９】
前記ネットワーク装置が端末装置の報告するＣＱＩを受信する前に、前記方法は、更に、
前記ネットワーク装置が前記端末装置に第２指示情報を送信し、前記第２指示情報はＰＭＩなしのＣＳＩ報告方式でＣＱＩ推定に用いるＣＱＩ測定方式を示すことに用いられることを含むことを特徴とする請求項７又は８に記載の方法。
【請求項１０】
前記ＣＱＩ測定方式は、
コードブックにおけるプリコード化マトリクスに基づいてＣＱＩ推定を行う第１ＣＱＩ測定方式、
干渉測定結果のみに基づいてＣＱＩ推定を行う第２ＣＱＩ測定方式、
一部のダウンリンク受信アンテナの対応するダウンリンクチャネル情報に基づいてＣＱＩ推定を行う第３ＣＱＩ測定方式、又は、
フォーミングのＣＳＩ−ＲＳポートに基づいてＣＱＩ推定を行う第４ＣＱＩ測定方式であることを特徴とする請求項７〜９のいずれか１項に記載の方法。
【請求項１１】
前記端末装置が、ＰＭＩなしのＣＳＩ報告方式で用いるＣＱＩ測定方式が前記第１ＣＱＩ測定方式であることを決定した場合、前記ネットワーク装置が端末装置の報告するＣＱＩを受信する前に、前記方法は、更に、
前記ネットワーク装置が前記端末装置に第３指示情報を送信し、前記第３指示情報はＰＭＩなしのＣＳＩ報告方式でＣＱＩ推定に用いるコードブックタイプを示すことに用いられることを含むことを特徴とする請求項１０に記載の方法。
【請求項１２】
前記端末装置が、ＰＭＩなしのＣＳＩ報告方式で用いるＣＱＩ測定方式が前記第１ＣＱＩ測定方式であることを決定した場合、前記ネットワーク装置が端末装置の報告するＣＱＩを受信する前に、前記方法は、更に、
前記ネットワーク装置が前記端末装置に第４指示情報を送信し、前記第４指示情報は指定されたコードブックタイプにおける、ＰＭＩなしのＣＳＩ報告方式でＣＱＩ推定に用いるコードブックを示すことに用いられることを含むことを特徴とする請求項１０に記載の方法。
【請求項１３】
前記方法は、更に、
前記ネットワーク装置が前記端末装置の報告するランク指標（ＲＩ）を受信し、前記ＲＩは前記端末装置がＰＭＩなしのＣＳＩ報告方式で用いるＣＱＩ測定方式に基づいて推定して取得したものであることを含むことを特徴とする請求項７〜１２のいずれか１項に記載の方法。
【請求項１４】
端末装置であって、
１つ又は複数のプロセッサ、１つ又は複数のメモリ、１つ又は複数の送受信機及び１つ又は複数のプログラムを備え、前記１つ又は複数のプログラムは前記メモリに記憶され、且つ前記１つ又は複数のプロセッサにより実行されるように構成され、前記プログラムは請求項１〜６のいずれか１項に記載の方法におけるステップを実行するための命令を含むことを特徴とする端末装置。
【請求項１５】
ネットワーク装置であって、
１つ又は複数のプロセッサ、１つ又は複数のメモリ、１つ又は複数の送受信機及び１つ又は複数のプログラムを備え、前記１つ又は複数のプログラムは前記メモリに記憶され、且つ前記１つ又は複数のプロセッサにより実行されるように構成され、前記プログラムは請求項７〜１３のいずれか１項に記載の方法におけるステップを実行するための命令を含むことを特徴とするネットワーク装置。
【手続補正７】
【補正対象書類名】図面
【補正対象項目名】図５
【補正方法】変更
【補正の内容】
【図５】
2020534719.tif 000010
【手続補正８】
【補正対象書類名】図面
【補正対象項目名】図６
【補正方法】変更
【補正の内容】
【図６】
2020534719.tif 000011
【国際調査報告】
2020534719.tif 000012
2020534719.tif 000013
2020534719.tif 000014
2020534719.tif 000015